(57)【要約】      （修正有）【課題】ガス系消火設備の防護区画で火災が発生した場合のガス放出警報音と非常放送設備による非常放送音の出力を適切に行って警報内容を確実に聞き取り可能とする防災設備を提供する。【解決手段】放送制御盤36は、火災受信盤30から火災移報信号を受信した場合に、警戒区域及び防護区画18に設置されたスピーカ40から避難誘導の非常放送音を出力させる。ガス消火制御盤16は、防護区画の火災感知器26の発報が検出され且つ火災受信盤から防護区画の火災感知器34の発報による火災移報信号が受信された場合に、防護区画に設置されたスピーカ28からガス放出警報音を出力させる。ガス消火制御盤16のスピーカ出力制御部100は、スピーカ40からの非常放送音を停止させた状態でスピーカ28からのガス放出警報音を所定時間出力させた後に、スピーカ28からのガス放出警報音を停止させてスピーカ40から非常放送音を出力させる。【選択図】図１
2019148845.tif 000002
【特許請求の範囲】
【請求項１】
警戒区域に設置された火災感知器により火災が検出された場合に火災警報を出力させると共に外部に火災移報信号を出力させる火災報知設備と、
前記火災報知設備から前記火災移報信号を受信した場合に前記警戒区域に設置された第１スピーカから避難誘導の非常放送音を出力させる非常放送設備と、
所定の防護区画に設置された火災感知器により火災が検出され、且つ前記火災報知設備から前記防護区画を含む前記警戒区域の前記火災移報信号が受信された場合に、前記防護区画に設置された第２スピーカからガス放出警報音を出力させると共に前記防護区画消火ガスを放出させるガス系消火設備と、
を備えた防災設備に於いて、
前記火災報知設備で前記防護区画を含む前記警戒区域の火災が検出された場合に、前記第１スピーカからの前記非常放送音と前記第２スピーカからの前記ガス放出警報音とが干渉しないように出力させるスピーカ出力制御部が設けられたことを特徴とする防災設備。
【請求項２】
請求項１記載の防災設備に於いて、前記スピーカ出力制御部は、前記第１スピーカと前記第２スピーカの何れか一方から出力させて他方からの出力を停止させるか、何れか一方から音量を低下させて出力させるか、交互に切り替えて出力させるか、又は、交互に音量を低下させて出力させることを特徴とする防災設備。
【請求項３】
請求項２記載の防災設備に於いて、
前記スピーカ出力制御部は、前記第１スピーカからの前記非常放送音を停止させた状態で前記第２スピーカからの前記ガス放出警報音を所定時間出力させた後に、前記第２スピーカからの前記ガス放出警報音を停止させて前記第１スピーカから前記非常放送音を出力させることを特徴とする防災設備。
【請求項４】
請求項２記載の防災設備に於いて、
前記スピーカ出力制御部は、前記第１スピーカからの前記非常放送音の音量を低下させた状態で前記第２スピーカからの前記ガス放出警報音を所定音量により所定時間出力させた後に、前記第２スピーカからの前記ガス放出警報音の音量を低下させて前記第１スピーカから前記非常放送音を所定の音量に戻して出力させることを特徴とする防災設備。
【請求項５】
請求項１乃至４の何れかに記載の防災設備に於いて、前記スピーカ出力制御部は、前記非常放送設備の放送制御盤又は前記ガス系消火設備の消火制御盤に設けられたことを特徴とする防災設備。
【発明の詳細な説明】
【技術分野】
【０００１】
本発明は、二酸化炭素等の消火ガスを放出して火災を消火するガス系消火設備、火災を検知して警報する火災報知設備及び火災時に非常放送を行う非常放送設備を備えた防災設備に関する。
【背景技術】
【０００２】
従来、火災発生時に二酸化炭素やハロンガス等の消火ガスを放出して火災を消火するガス系消火設備にあっては、水損や汚損を嫌う機器を設置している室内において、消火による機器損失を最小限に抑えつつ迅速な消火を行うことを可能とする。
【０００３】
このようなガス系消火設備は、制御盤に自動モードを設定していた場合には、防護区画に設置された火災感知器による火災発報と、火災報知設備の防護区画を含む警戒区域に設置されている火災感知器の火災発報により火災受信盤から出力される火災移報信号が入力した場合（２系統のＡＮＤ発報があった場合）に、ガス放出する起動条件が成立したと判断して所定時間のカウントダウンを開始し、カウントダウンが終了すると、制御盤から起動装置に起動信号を出力して動作し、起動装置から二酸化炭素等の開放ガスを防護区画に対応したガス供給配管に設けた選択弁に供給して開くと共に消火ガス貯蔵容器の栓を開け、噴射ヘッドから消火ガスを放出する。
【０００４】
また、防護区画に消火ガスを放出する場合には、防護区画に設置されているスピーカから注意警報及び退避警報として、例えば「火事です  火事です  消火剤が放出されます  危険ですので避難してください」といったガス放出警報音を繰り返し出力させる。
【０００５】
また制御盤に手動モードを設定していた場合には、監視員が目視又は火災感知器の発報によって火災を発見し、防護区画に設置した操作箱の扉を開いて起動スイッチを押した場合にガス放出する起動条件が成立したと判断して制御盤がカウントダウンを開始し、カウントダウンが終了すると同様にして消火ガスを放出する。また、防護区画に設置されているスピーカからガス放出警報音を繰り返し出力させる。
【０００６】
一方、規模の大きな施設にあっては、火災報知設備に加えて非常放送設備が設置されている場合がある。非常放送設備は、火災受信機から階別等の発報区域を示す火災移報信号を受信した場合に、火災発生階及び直上階に設置しているスピーカから感知器発報放送として「ただいま○○階の火災報知器が作動しました。確認しておりますので、次の放送にご注意ください。」を出力する。
【０００７】
続いて、非常放送設備は、係員等が現場に出向いて火災を確認した場合の火災断定操作等により出力される火災確認の火災移報信号を受信すると、それまでの感知器発報放送から火災放送に切替え、「火事です。火事です。○○階の火災が発生しました。落ち着いて避難してください。」を出力する。更に、火災放送から所定の設定時間が経過すると、非常放送装置は全館一斉放送に切替える。
【先行技術文献】
【特許文献】
【０００８】
【特許文献１】特開平６−０６２４３２号公報
【特許文献２】特開平１１−２４５８０９号公報
【特許文献３】特開２０１１−４３１９号公報
【特許文献４】特開２０１５−２３１１８５号公報
【発明の概要】
【発明が解決しようとする課題】
【０００９】
しかしながら、このような従来の防災設備にあっては、ガス系消火設備の防護区画で火災が発生した場合、ガス系消火設備と非常放送設備は防災機能の異なる別々の設備であることから、防護区画に設置されているガス系消火設備のスピーカからガス放出警報音が出力され、また、防護区画に設置されている非常放送設備のスピーカから非常放送音が出力され、別々のスピーカから出力される警報内容が重なり合って聞き取りずらく、また、所定音量を超える大音量の警報音が異なるスピーカから出力されることで混乱を招き、避難行動を妨げる恐れもある。
【００１０】
本発明は、ガス系消火設備の防護区画で火災が発生した場合のガス放出警報音と非常放送設備による非常放送音の出力を適切に行って警報内容を確実に聞き取り可能とする防災設備を提供することを目的とする。
【課題を解決するための手段】
【００１１】
（防災設備）
本発明は、
警戒区域に設置された火災感知器により火災が検出された場合に火災警報を出力させると共に外部に火災移報信号を出力させる火災報知設備と、
火災報知設備から火災移報信号を受信した場合に警戒区域に設置された第１スピーカから避難誘導の非常放送音を出力させる非常放送設備と、
所定の防護区画に設置された火災感知器により火災が検出された場合に、防護区画に設置された第２スピーカからガス放出警報音を出力させると共に防護区画消火ガスを放出させるガス系消火設備と、
を備えた防災設備に於いて、
火災報知設備で防護区画を含む警戒区域の火災が検出され且つガス系消火設備で防護区画の火災が検出された場合に、第１スピーカからの非常放送音と第２スピーカからのガス放出警報音とが干渉しないように出力させるスピーカ出力制御部が設けられたことを特徴とする。
【００１２】
（干渉のないスピーカ出力制御）
スピーカ出力制御部は、第１スピーカと第２スピーカの何れか一方から出力させて他方からの出力を停止させるか、何れか一方からの音量を低下させて出力させるか、交互に切り替えて出力させるか、又は、交互に音量を低下させて出力させる。
【００１３】
（ガス放出警報音と非常放送音の切替出力）
スピーカ出力制御部は、第１スピーカからの非常放送音を停止させた状態で第２スピーカからのガス放出警報音を所定時間出力させた後に、第２スピーカからのガス放出警報音を停止させて第１スピーカから非常放送音を出力させる。
【００１４】
（ガス放出警報音と非常放送音の音量切替出力）
スピーカ出力制御部は、第１スピーカからの非常放送音の音量を低下させた状態で第２スピーカからのガス放出警報音を所定音量により所定時間出力させた後に、第２スピーカからのガス放出警報音の音量を低下させて第１スピーカから非常放送音を所定の音量に戻して出力させる。
【００１５】
（スピーカ出力制御部の設置場所）
スピーカ出力制御部は、非常放送設備の放送制御盤又は消火設備の消火制御盤に設けられる。
【発明の効果】
【００１６】
（基本的な効果）
本発明は、警戒区域に設置された火災感知器により火災が検出された場合に火災警報を出力させると共に外部に火災移報信号を出力させる火災報知設備と、火災報知設備から火災移報信号を受信した場合に警戒区域に設置された第１スピーカから避難誘導の非常放送音を出力させる非常放送設備と、所定の防護区画に設置された火災感知器により火災が検出された場合に、防護区画に設置された第２スピーカからガス放出警報音を出力させると共に防護区画消火ガスを放出させるガス系消火設備とを備えた防災設備に於いて、火災報知設備で防護区画を含む警戒区域の火災が検出され且つガス系消火設備で防護区画の火災が検出された場合に、第１スピーカからの非常放送音と第２スピーカからのガス放出警報音とが干渉しないように出力させるスピーカ出力制御部が設けられたため、ガス系消火設備の防護区画で火災が発生して別々のスピーカからガス放出警報音と非常放送音が相互に干渉しないように出力されることで、スピーカから出力される別々の警報内容を確実に聞き取ることができ、警報内容に応じて迅速且つ適切な避難行動が可能となる。
【００１７】
（干渉のないスピーカ出力制御による効果）
また、スピーカ出力制御部は、第１スピーカと第２スピーカの何れか一方から出力させて他方からの出力を停止させるか、何れか一方からの音量を低下させて出力させるか、交互に切り替えて出力させるか、又は、交互に音量を低下させて出力させるようにしたため、ガス系消火設備の防護区画で火災が発生して別々のスピーカからガス放出警報音と非常放送音が出力される場合に、異なる警報音が重なり合うことがないか、又は、異なる警報音が重なり合っても一方の音量が低いことから、明瞭に警報内容を聞き取ることができる。
【００１８】
（ガス放出警報音と非常放送音の切替出力による効果）
また、スピーカ出力制御部は、第１スピーカからの非常放送音を停止させた状態で第２スピーカからのガス放出警報音を所定時間出力させた後に、第２スピーカからのガス放出警報音を停止させて第１スピーカから非常放送音を出力させるようにしたため、防護区画に対する消火ガスの放出とこれに伴う防護区画からの退避を促すガス放出警報音を優先してスピーカから出力させることで消火ガスの放出に伴う人身事故を未然に防止し、消火ガスの放出が終了するまでの所定時間が経過したら火災発報放送に続いて火災放送を行う非常放送音の出力に切り替えることで、防護区画を含む警戒区域からの避難を迅速かつ適切に行わせることができる。
【００１９】
（ガス放出警報音と非常放送音の音量切替出力による効果）
また、スピーカ出力制御部は、第１スピーカからの非常放送音の音量を低下させた状態で第２スピーカからのガス放出警報音を所定音量により所定時間出力させた後に、第２スピーカからのガス放出警報音の音量を低下させて第１スピーカから非常放送音を所定の音量に戻して出力させるようにしたため、火災発生時には、まず非常放送音のスピーカ音量を低下させることで、防護区画に対する消火ガスの放出とこれに伴う防護区画からの退避を促すガス放出警報音をスピーカから所定音量により出力させることで優先させ、これにより消火ガスの放出に伴う人身事故を未然に防止可能とする。また、消火ガスの放出が終了する所定時間が経過したら、ガス放出警報のスピーカ音量を低下させ、非常放送のスピーカ出力を所定音量に戻すことで、非常放送内容の聞き取りを可能にし、防護区画を含む警戒区域からの避難を迅速かつ適切に行わせる。
【００２０】
また、非常放送音又はガス放出警報音のスピーカ音量を低下させていても、そのスピーカの近くであれば、音量を低下させている非常放送又はガス放出警報の内容を聞き取ることが可能であり、非常放送とガス放出警報の両方が行われていることを知り、安心感を持って避難行動をとることを可能とする。
【００２１】
（スピーカ出力制御部の設置場所による効果）
また、スピーカ出力制御部は、非常放送設備の放送制御盤又はガス系消火設備の消火制御盤に設けられたため、非常放送音とガス放出警報音のスピーカ出力が干渉しないように出力させるスピーカ出力制御を、消火制御盤を主体の制御とするか、放送制御盤を主体の制御とするかが、必要に応じて選択可能であり、設備を連携させるための設備構成の自由度を高めることができる。
【図面の簡単な説明】
【００２２】
【図１】ガス系消火設備、火災報知設備及び非常放送設備を連携させる本発明による防災設備の概略を示した説明図
【図２】ガス系消火設備の設備構成を示した説明図
【図３】ガス系消火設備、火災報知設備及び非常放送設備を連携させる防災設備の機能構成を示した説明図
【図４】ガス放出警報音に続いて非常放送音を出力させるスピーカ出力制御の実施形態を示したタイムチャート
【図５】音量切替えによりガス放出警報音に続いて非常放送音を出力させるスピーカ出力制御の他の実施形態を示したタイムチャート
【図６】ガス放出警報音と非常放送音を交互に出力させるスピーカ出力制御の他の実施形態を示したタイムチャート
【図７】ガス放出警報音と非常放送音を交互に出力させるスピーカ出力制御の他の実施形態を示したタイムチャート
【発明を実施するための形態】
【００２３】
［防災設備の概要］
図１はガス系消火設備、火災報知設備及び非常放送設備を連携させる本発明による防災設備の概略を示した説明図である。
【００２４】
図１に示すように、本発明による防災設備は、ガス系消火設備１０、火災報知設備１２及び非常放送設備１４で構成される。ガス系消火設備１０にはガス系の消火設備を一括制御する消火制御盤１６が設けられ、防護区画１８となる各部屋の外に操作箱２０とガス放出部２２が設置され、防護区画１８内には、噴射ヘッド２４、火災感知器２６及び第２スピーカとして機能するスピーカ２８が設置され、消火制御盤１６からの信号線に接続されている。
【００２５】
火災報知設備１２には火災受信盤３０が設けられ、火災受信盤３０からは警戒区域単位に感知器回線３２が引き出され、ガス系消火設備１０の防護区画１８が含まれる警戒区域に引き出された感知器回線３２は防護区画１８内に引き込まれ、防護区画１８内に設置された火災感知器３４が接続されている。
【００２６】
火災受信盤３０は、火災感知器３４の火災発報による発報信号を受信した場合に、火災警報を出力させると共に感知器回線３２に対応した発報区域を示す火災移報信号を外部に出力する。ここで、火災受信盤３０は防護区画１８に設置されている火災感知器３４が接続された感知器回線３２から火災発報信号を受信した場合に、消火制御盤１６へ火災移報信号Ｅ１を出力する。
【００２７】
非常放送設備１４には放送制御盤３６が設けられ、放送制御盤３６からは火災受信盤３０から引き出された感知器回線３２に対応した警戒区域毎に放送回線３８が引き出され、放送回線３８には１又は複数のスピーカ４０が接続されている。放送制御盤３６からはガス系消火設備１０の防護区画１８に対しても放送回線３８が引き出され、防護区画１８内に設置された第１スピーカとして機能するスピーカ４０が接続されている。
【００２８】
また、火災受信盤３０から放送制御盤３６に対しては、警戒区域に引き出された複数の感知器回線３２に対応して移報信号線が引き出され、発報区域に対応した火災移報信号Ｅ１〜Ｅｎを出力させるようにしている。
【００２９】
（ガス系消火設備の設備構成）
図２はガス系消火設備の設備構成を示した説明図である。図２に示すように、本実施形態のガス系消火設備１０は、消火ガスとして二酸化炭素を使用した設備を例にとっている。
【００３０】
図２に示すように、本実施形態のガス系消火設備には、防護区画１８Ａ，１８Ｂが設けられており、防護区画１８Ａ，１８Ｂの外側には、消火制御盤１６が設置され、また、防護区画１８Ａ，１８Ｂに対応して操作箱２０が設置されている。
【００３１】
操作箱２０には起動スイッチと起動スイッチを保護する扉が備えられ、手動モードが設定されている場合、人が火災を発見したときには、扉を開けて起動スイッチを操作することにより消火制御盤１６に起動信号を送信し、消火剤としての消火ガスを放出させる。放出表示灯４５は監視区域内に消火ガスが放出されていることを表示し、室内に入らないことを知らせる。
【００３２】
噴射ヘッド２４は消火ガスを室内に放出する。第２スピーカとして機能するスピーカ２８からは消火ガスが放出されることを示す注意警報と退避警報を含むガス放出警報音が出力され、人が警戒区域内に存在する場合は直ちに避難することを促す。スピーカ４０から出力されるガス放出警報音は、例えば「火事です  火事です  消火剤が放出されます  危険ですので避難してください」となる。
【００３３】
消火ガス貯蔵容器４２は消火ガスを貯蔵する。本実施形態にあっては、防護区画１８Ａ，１８Ｂについて火災想定を１箇所としており、このため消火ガス貯蔵容器４２は防護区画１８Ａ，１８Ｂに対する共通設備として設けられており、１防護区画の消火に必要な量の消火ガスを充填している。
【００３４】
起動装置４６は防護区画１８Ａ，１８Ｂに対応して設けられ、消火制御盤１６から消火ガス放出用の起動信号を受けて内蔵したソレノイドの通電により開弁して二酸化炭素などの開放ガスを放出し、開放ガスにより選択弁４４を開放させると共に二酸化炭素が充填されている消火ガス貯蔵容器４２の栓を開ける。選択弁４４は起動装置４６の起動による開放ガスを受けて開き、火災の生じた防護区画１８Ａ又は１８Ｂの噴射ヘッド２４に消火ガスを供給して噴射させる。
【００３５】
火災感知器２６は消火制御盤１６からの感知器回線に接続され、防護区画１８Ａ，１８Ｂの火災を監視している。本実施形態は、消火ガスとして二酸化炭素を使用していることから、火災感知器２６に加え、火災報知設備の火災感知器３４を設置して防護区画１８Ａ，１８Ｂの火災を監視しており、擬似的に２系統の感知器回線に接続された火災感知器２６，３４により火災を監視している。
【００３６】
圧力スイッチ５０は消火ガス貯蔵容器４２から消火ガスが放出されたことを検出し、消火制御盤１６に検出信号を送り、火災の発生した監視区域に対応した放出表示灯４５を点滅させる。ピストンレリーザ４８は消火ガスが部屋に放出されたとき消火ガスを室外に漏れないようにダンパーで排煙口を閉じる。閉止弁５２は消火ガス貯蔵容器４２からの消火ガスの供給を手動で閉止する。
【００３７】
また、防護区画１８Ａ，１８Ｂには、非常放送設備からの放送回線に接続された第１スピーカとして機能するスピーカ４０が設置されており、火災感知器３４の火災発報に対応して非常放送音が出力される。
【００３８】
このようなガス系消火設備において、消火制御盤１６に自動モードを設定していた場合には、火災感知器２６による１系統目の火災発報があった場合に、火災感知器３４の火災発報に基づく図１に示した火災受信盤３０からの火災移報信号Ｅ１を２系統目の火災発報として入力することで、擬似的に２回線発報のＡＮＤ条件によるガス放出の起動条件が成立したと判断し、所定時間のカウントダウンを開始すると共にスピーカ２８から消火ガスが放出されることを示す注意警報と退避警報のガス放出警報音を出力させる。
【００３９】
このとき図１に示したように、火災受信盤３０からの火災移報信号Ｅ１は放送制御盤３６にも送られており、放送制御盤３６は防護区画１８Ａ，１８Ｂに設置されたスピーカ４０から非常放送音を出力させるが、後の説明で明らかにするように、スピーカ２８からのガス放出警報音とスピーカ４０からの非常放送音は、相互に干渉しないように出力されることで、スピーカ２８，４０から出力される別々の警報内容を確実に聞き取ることを可能としている。
【００４０】
消火制御盤１６及び操作箱２０には２桁表示の７セグメント表示器が設けられており、通常はカウントダウン初期値として所定の秒数を表示しており、カウントダウンを開始すると、残り時間の秒数を順次表示し、カウントダウン終了で零秒を表示する。
【００４１】
消火制御盤１６のカウントダウンが終了すると、消火制御盤１６から起動装置４６にガス放出信号を出力して動作し、起動装置４６から二酸化炭素等の開放ガスを選択弁４４に供給して開くと共に消火ガス貯蔵容器４２の栓を開け、ガス供給配管を介して噴射ヘッド２４から火災検知した防護区画１８Ａ，１８Ｂの室内に消火ガスとして二酸化炭素ガスを放出させる。
【００４２】
また消火制御盤１６に手動モードを設定していた場合には、監視員が目視又は火災感知器２６，３４の発報によって例えば防護区画１８Ａの火災を発見し、防護区画１８Ａの外側に設置している操作箱２０の扉を開いて起動スイッチを押すことで起動信号を消火制御盤１６に送信し、消火制御盤１６は起動信号の受信によりガス放出の起動条件が成立したと判断し、カウントダウンを開始すると共にスピーカ２８から消火ガスが放出されることを示す注意警報と退避警報のガス放出警報音を出力させ、カウントダウンが終了すると、自動モードの場合と同様にして防護区画の噴射ヘッド２４から消火ガスとして二酸化炭素を放出させる。
【００４３】
［防災設備の機能構成］
図３はガス系消火設備、火災報知設備及び非常放送設備を連携させる防災設備の機能構成を示した説明図である。
【００４４】
（ガス系消火設備の機能構成）
図３に示すように、消火制御盤１６は消火制御部６０を備え、消火制御部６０は、ＣＰＵ、メモリ、各種の入出力ポートを備えたコンピュータ回路で構成されており、プログラムの実行により消火ガスの放出制御を行う。
【００４５】
また、消火制御部６０には、スピーカ出力制御部１００としての機能が設けられ、防護区画１８で火災が発生した場合にスピーカ２８から出力されるガス放出警報音とスピーカ４０から出力される非常放送音とが干渉しないように出力させる制御が行われるが、その詳細は、後の説明で明らかにされる。
【００４６】
消火制御部６０に対しては、防護区画１８に設置された火災感知器２６が感知器回線により１系統目の火災発報を監視するために接続される。また、防護区画１８の２系統目の火災発報の監視は、火災受信盤３０から引き出された感知器回線３２に接続された火災感知器３４が防護区画１８に設置されており、火災感知器３４の火災発報を火災受信盤３０で検知した場合に出力される火災移報信号Ｅ１を、移報入力部６６を介して消火制御部６０に入力することで、擬似的に２回線発報のＡＮＤ条件によるガス放出の起動条件の成立を判断して消火ガスの放出制御を行うようにしている。
【００４７】
なお、消火制御部６０は防護区画１８に対応して設けられ、図２に示したように防護区画１８Ａ，１８Ｂと２つある場合には、それぞれに対応して２つの消火制御部６０が設けられる。
【００４８】
消火制御部６０から引き出された伝送路６１には、防護区画１８に設けた最大４台となる操作箱２０が接続されており、４台の操作箱２０にはアドレスＡ１〜Ａ４が予め設定されている。
【００４９】
消火制御部６０に対しては、操作部６２、表示部６４、移報入力部６６、移報出力部６８及びスピーカ駆動部７０が設けられ、信号線接続されている。なお、消火制御部６０が複数設けられた場合、操作部６２、表示部６４、移報入力部６６、移報出力部６８及びスピーカ駆動部７０は共通部として設けられ、複数の消火制御部６０に対し共通に信号線接続される。
【００５０】
操作部６２には、全ての防護区画での動作モードを一括して自動モード又は手動モードに切替えるキースイッチ、カウントダウン中にガス放出を停止させる非常停止スイッチ、警報を停止させる警報停止スイッチ、移報を停止させる移報停止スイッチ等が設けられている。
【００５１】
表示部６４には、電源状態を示す電源灯、火災発生を示す火災灯、手動モードの設定を示す手動モード表示灯、自動モードの設定を示す自動モード表示灯、ガス放出動作の起動を示す放出起動灯、ガス放出されたことを示す放出灯、カウントダウンに使用する７セグメント表示器等が設けられている。
【００５２】
移報入力部６６は、防護区画１８に設置された火災感知器３４の火災発報により出力される火災移報信号Ｅ１を入力し、防護区画１８の２系統目の火災発報として消火制御部６０に入力させる。
【００５３】
移報出力部６８は、消火制御部６０に設けられたスピーカ出力制御部１００によるスピーカ制御のためのガス放出警報中信号Ｅ０を放送制御盤３６に移報させる。
【００５４】
スピーカ駆動部７０には、消火ガスの放出を行う警報放送の音源とパワーアンプが設けられており、消火制御部６０を経由した放送回線を介して防護区画１８に設置されたスピーカ２８にガス放出警報信号を送るようにしている。
【００５５】
また、スピーカ駆動部７０に設けられたパワーアンプは、消火制御部６０からの指示によりゲイン制御を可能としており、これにより防護区画１８に設置しているスピーカ２８から出力されるガス放出警報音の音量、即ち音圧出力レベルを可変可能としている。
【００５６】
（火災受信盤の機能構成）
火災受信盤３０は受信制御部７２を備え、警戒区域に引き出された感知器回線３２単位に火災を監視するＰ型火災受信を例にとっている。
【００５７】
受信制御部７２はＣＰＵ、メモリ、各種の入出力ポートを備えたコンピュータ回路で構成されており、プログラムの実行により火災受信制御を行う。また、受信制御部７２に対しては複数の回線受信部７４が設けられ、回線受信部７４からは警戒区域毎に分けて火災感知器が接続された感知器回線３２が引き出され、防護区画１８を含む警戒区域の感知器回線３２には、防護区画１８に設置された火災感知器３４が接続されている。
【００５８】
また、受信制御部７２に対しては、火災断定スイッチ、主音響停止スイッチ、地区音響一時停止スイッチ、復旧スイッチ等を備えた操作部７６、火災代表灯、地区表示灯等を備えた表示部７８、火災警報音やメッセージを出力するスピーカを備えた警報部８０及び感知器回線３２に対応して火災発報した警戒区域を示す火災移報信号Ｅ１〜Ｅｎ及び火災確認を示す火災移報信号Ｅ１１を出力する移報出力部８２が設けられる。
【００５９】
受信制御部７２は、例えば、防護区画１８に設置された火災感知器３４の火災発報による発報信号を受信すると、警報部８０により火災警報音と警報メッセージを出力させ、表示部７８の火災代表灯を点灯させると共に地区表示灯を点灯させ、更に、移報出力部８２から防護区画１８を含む発報区域を示す火災移報信号Ｅ１を消火制御盤１６及び放送制御盤３６に出力する制御を行う。
【００６０】
（放送制御盤の機能構成）
放送制御盤３６は放送制御部８４を備え、放送制御部８４はＣＰＵ、メモリ、各種の入出力ポートを備えたコンピュータ回路で構成されており、プログラムの実行により非常放送制御を行う。放送制御部８４に対しては、非常放送生成部８６、放送回線選択部８８、移報入力部９０、操作部９２及び表示部９４が設けられる。
【００６１】
非常放送生成部８６には、放送音源やマイクが設けられる。放送音源は、発報放送、火災放送、非火災放送、地震や盗難等の緊急放送等の放送メッセージ情報を記憶しており、放送制御部８４から指示を受けた放送メッセージ情報を読み出しアナログ放送信号に変換して出力する。また、マイクは放送制御盤３６の操作パネルに設けられており、必要に応じて防災センターの係員が避難誘導などを指示する放送入力を行うことを可能とする。
【００６２】
非常放送生成部８６は、放送制御部８４の指示により特定の放送音源を選択して放送回線選択部８８に出力する。放送回線選択部８８からは、火災受信盤３０の感知器回線３２に対応した警戒区域に分けて放送回線３８が引き出されており、防護区画１８を含む警戒区域に引き出された放送回線３８には、防護区画１８に設置されたスピーカ４０が接続されている。
【００６３】
放送回線選択部８８は、非常放送生成部８６から入力した放送信号を、放送制御部８４の指示により放送回線３８の中から選択した回線に出力してスピーカから放送音を出力させる。また、放送回線選択部８８にはパワーアンプが設けられており、必要とするＬ級、Ｍ級又はＳ級の音圧出力レベルによるスピーカ出力を可能とする。防護区画１８に引き出された放送回線３８に対応して放送回線選択部８８に設けられたパワーアンプは放送制御部８４からの指示によりゲイン制御を可能としており、これにより防護区画１８に設置しているスピーカ４０から出力される非常放送音の音量、即ち音圧出力レベルを可変可能としている。
【００６４】
操作部９２には非常放送スイッチ、回線選択スイッチ、スピーカ試験スイッチ、非火災放送スイッチ、及び鳴動停止スイッチ等の操作スイッチに加え、これに対応した表示灯等を表示部９４に設けている。
【００６５】
放送制御部８４は、火災受信盤３０からの火災発報階を示す火災移報信号Ｅ１〜Ｅｎの何れかの受信を検出した場合、非常放送生成部８６に指示して発報放送メッセージ情報を再生出力させ、放送回線選択部８８に指示して火災発生階と直上階の放送回線を選択して発報放送信号を出力させ、火災発生階と直上階に設置されているスピーカから発報放送を出力させる制御を行う。
【００６６】
また、放送制御部８４は、発報放送後に、火災受信盤３０から火災確認の火災移報信号Ｅ１１の受信を検出した場合、非常放送生成部８６に指示して火災放送メッセージ情報を再生出力させ、放送回線選択部８８を介して火災発生階と直上階のスピーカから火災放送を出力させる制御を行う。
【００６７】
更に、放送制御部８４は、火災放送から予め設定した一定時間の経過を検出した場合、放送回線選択部８８に指示し、全ての放送回線３８を選択することで一斉放送に切替える制御を行う。
【００６８】
一方、放送制御部８４は、発報放送後に、非火災の現場確認に基づく操作部９２に設けた鳴動停止スイッチによる鳴動停止操作の受付けを検出した場合、非常放送生成部８６に指示して非火災放送メッセージ情報を再生出力させ、放送回線選択部８６を介して火災発生階と直上階のスピーカから非火災放送を放送出力させる制御を行う。
【００６９】
なお、以下の説明では、放送制御盤３６による発報放送と火災放送を区別する必要がない場合は、非常放送という場合がある。
【００７０】
［スピーカ出力制御］
（スピーカ出力制御の概略）
消火制御盤１６の消火制御部６０に設けられたスピーカ出力制御部１００は、防護区画１８で火災が発生した場合に、スピーカ２８から出力されるガス放出警報音とスピーカ４０から出力される非常放送音とが干渉しないように出力させる制御を行う。
【００７１】
スピーカ出力制御部１００による基本的な制御の形態は、
（１）スピーカ２８とスピーカ４０の何れか一方から出力させて他方からの出力を停止、
（２）スピーカ２８とスピーカ４０の何れか一方からの音量を低下させて出力、
（３）スピーカ２８とスピーカ４０を交互に切り替えて出力、
（４）スピーカ２８とスピーカ４０を交互に音量を低下させて出力、
の何れかとなる。
【００７２】
（ガス放出警報音と非常放送音の切替出力）
図４はガス放出警報音に続いて非常放送音を出力させるスピーカ出力制御の実施形態を示したタイムチャートであり、図４（Ａ）に火災感知器２６の火災発報を示し、図４（Ｂ）に火災感知器３４の火災発報を示し、図４（Ｃ）にスピーカ４０の非常放送音の出力を示し、図４（Ｄ）にスピーカ２８のガス放出警報音の出力を示す。
【００７３】
図３に示した防護区画１８で火災が発生し、図４に示すように、時刻ｔ１で火災感知器２６が火災発報し、続いて、時刻ｔ２で火災感知器３４が火災発報したとする。火災感知器２６の発報信号は消火制御盤１６の消火制御部６０で受信されて１系統目の火災発報が検出される。
【００７４】
火災感知器３４の発報信号は火災受信盤３０の回線受信部７４を介して受信制御部７２で検出され、火災警報が出力されると共に、移報出力部８２から消火制御盤１６及び放送制御盤３６に対し防護区画１８を含む警戒領域を火災発生階として示す火災移報信号Ｅ１が出力される。
【００７５】
火災受信盤３０からの火災移報信号Ｅ１は、消火制御盤１６に設けられた消火制御部６０で２系統目の火災発報として入力され、擬似的に２回線発報のＡＮＤ条件によるガス放出の起動条件が成立したと判断され、所定時間のカウントダウンを経て噴射ヘッド２４から消火ガスが放出される。
【００７６】
このときスピーカ出力制御部１００は、カウントダウンの開始と同時に、図４（Ｄ）に示すように、スピーカ駆動部７０に指示して消火ガスの放出の注意警報と避難警報を示すガス放出警報信号をスピーカ２８に出力させ、スピーカ２８から防護区画１８に対するガス放出警報音の出力を開始させる。
【００７７】
また、スピーカ出力制御部１００は、移報出力部６８に指示してガス放出警報音の出力中を示すガス放出警報中信号Ｅ０を放送制御盤３６へ出力させる。
【００７８】
放送制御盤３６の放送制御部８４は、火災受信盤３０から火災発生階を示す火災移報信号Ｅ１の受信を検出すると、非常放送生成部８６に指示して非常放送信号を出力させ、また放送回線選択部８８に指示して防護区画１８を含む火災発生階及びその直上階に対する放送回線を選択して発報放送信号を出力しようとするが、このとき消火制御盤１６からガス放出警報中信号Ｅ０の受信が検出されるため、放送回線選択部８８に指示して、火災発生階に対応した放送回線の選択を解除させ、図４（Ｃ）に示すように、防護区画１８を含む火災発生階のスピーカ４０に対する非常放送信号の出力を停止させる制御を行う。なお、直上階の放送回線は選択しており、直上階のスピーカからは非常放送音が出力される。
【００７９】
このため火災が発生している防護区画１８では、スピーカ２８からガス放出警報音が出力され、スピーカ４０から非常放送音は出力されず、非常放送音に干渉されることなく、ガス放出警報音を明瞭に聞き分けて防護区画１８からの退避行動を確実に行うことを可能とする。
【００８０】
消火制御盤１６による噴射ヘッド２４からの防護区画１８に対する消火ガスの放出は概ね１分以内に完了することから、スピーカ出力制御部１００は、時刻ｔ２のガス放出警報音の出力開始からガス放出時間に応じて予め定めた所定時間Ｔ１、例えばＴ１＝１分を経過した時刻ｔ３に達すると、スピーカ駆動部７０に指示してガス放出警報信号の出力を停止させ、これによりスピーカ２８からのガス放出警報音の出力が停止される。
【００８１】
また、スピーカ出力制御部１００は時刻ｔ３で放送制御盤３６に出力していたガス放出警報中信号Ｅ０の出力を停止する。このため放送制御盤３６の放送制御部８４はガス放出警報中信号Ｅ０の停止を検出すると、放送回線選択部８８に指示してそれまで解除していた防護区画１８を含む火災発生階の放送回線を選択して非常放送信号を出力させ、防護区画１８を含む火災発生階に設置されているスピーカ４０から非常放送音を出力させる。
【００８２】
このため火災が発生している防護区画１８では、スピーカ４０から非常放送音が出力されたときには、スピーカ２８からのガス放出警報音は停止されており、ガス放出警報音に干渉されることなく、非常放送音を明瞭に聞き分けることができる。
【００８３】
このような図４のタイムチャートに示したスピーカ出力制御によれば、防護区画１８で火災が発生した場合、最初にスピーカ２８からガス放出警報音を優先して出力させることで消火ガスの放出に伴う人身事故を未然に防止し、消火ガスの放出が終了するまでの所定時間が経過したらスピーカ４０から非常放送音を出力させることで、防護区画を含む警戒区域からの避難を迅速かつ適切に行わせることができる。
【００８４】
（ガス放出警報音と非常放送音の音量切替出力）
図５はガス放出警報音に続いて非常放送音を出力させるスピーカ出力制御の他の実施形態を示したタイムチャートであり、図５（Ａ）に火災感知器２６の火災発報を示し、図５（Ｂ）に火災感知器３４の火災発報を示し、図５（Ｃ）にスピーカ４０の非常放送音の出力を示し、図５（Ｄ）にスピーカ２８のガス放出警報音の出力を示す。
【００８５】
図５に示すように、時刻ｔ１で火災感知器２６が火災発報し、続いて、時刻ｔ２で火災感知器３４が火災発報したとすると、２回線発報のＡＮＤ条件によるガス放出の起動条件の成立により消火制御盤１６は所定時間のカウントダウンを経て噴射ヘッド２４から消火ガスが放出される。
【００８６】
このときスピーカ出力制御部１００は、図４（Ｄ）に示すように、スピーカ駆動部７０に指示してガス放出警報信号を出力させ、スピーカ２８から所定の音圧出力レベルＶ２の音量によりガス放出警報音を防護区画１８に出力させる。また、スピーカ出力制御部１００は、移報出力部６８に指示してガス放出警報音の出力中を示すガス放出警報中信号Ｅ０を放送制御盤３６へ出力させる。
【００８７】
放送制御盤３６の放送制御部８４は、火災受信盤３０から火災発生階を示す火災移報信号Ｅ１の受信を検出すると、非常放送生成部８６に指示して非常放送信号を出力させ、また放送回線選択部８８に指示して防護区画１８を含む火災発生階及びその直上階に対する放送回線を選択して非常放送信号を出力しようとするが、このとき消火制御盤１６からガス放出警報中信号Ｅ０の受信が検出されるため、放送回線選択部８８に指示し、選択された火災発生階の放送回線に対応したパワーアンプのゲインを低下させる制御により非常放送信号のレベルを低下させる制御を行う。
【００８８】
このため火災が発生している防護区画１８では、スピーカ２８からは所定の音圧レベルＶ２に対応した音量のガス放出警報音が出力され、一方、スピーカ４０からは所定の音圧レベルＶ２により低い音圧レベルＶ１に対応した低い音量の非常放送音が出力され、非常放送音に干渉されることなく、ガス放出警報音を明瞭に聞き分けて防護区画１８からの退避行動を確実に行うことを可能とする。
【００８９】
また、スピーカ４０からの非常放送音の音量が低下された場合、スピーカ４０の近くであれば、音量を低下している非常放送音を聞き取ることが可能であり、非常放送とガス放出警報の両方が行われていることを知り、安心感を持って避難行動をとることを可能とする。
【００９０】
続いて、スピーカ出力制御部１００は、時刻ｔ２のガス放出警報音の出力開始からガス放出時間に応じて予め定めた所定時間Ｔ１、例えばＴ１＝１分を経過した時刻ｔ３に達すると、スピーカ駆動部７０に指示してパワーアンプのゲインを低下させる制御によりガス放出警報信号のレベル低下させる制御を行い、スピーカ２８は所定の音圧出力レベルＶ２により低い音圧出力レベルＶ１に対応した低い音量のガス放出警報音の出力に切り替えられる。
【００９１】
また、スピーカ出力制御部１００は時刻ｔ２で放送制御盤３６に出力していたガス放出警報中信号Ｅ０の出力を停止する。このため放送制御盤３６の放送制御部８４はガス放出警報中信号Ｅ０の停止を検出すると、放送回線選択部８８に指示し、防護区画１８を含む火災発生階の放送回線に対応したパワーアンプのゲインを元に戻し、防護区画１８を含む火災発生階に設置されているスピーカ４０から所定の音圧出力レベルＶ２に対応した十分に大きい音量の非常放送音を出力させる。このためスピーカ４０からの非常放送音は、スピーカ２８からの音量が低下されたガス放出警報音に干渉されることなく、非常放送音を明瞭に聞き分けることができる。
【００９２】
このような図５のタイムチャートに示したスピーカ出力制御によれば、防護区画１８で火災が発生した場合、スピーカ４０からの非常放送音の音量を低下させ、スピーカ２８からのガス放出警報音を高い音量で優先的に出力させることで消火ガスの放出に伴う人身事故を未然に防止し、消火ガスの放出が終了するまでの所定時間が経過したら、スピーカ２８からのガス放出警報音の音量を低下させ、スピーカ４０からの非常放送音を所定の高い音量に戻すことで、防護区画を含む警戒区域からの避難を迅速かつ適切に行わせることができる。
【００９３】
（ガス放出警報音と非常放送音の交互切替出力）
図６はガス放出警報音と非常放送音を交互に出力させるスピーカ出力制御の他の実施形態を示したタイムチャートであり、図６（Ａ）に火災感知器２６の火災発報を示し、図６（Ｂ）に火災感知器３４の火災発報を示し、図６（Ｃ）にスピーカ４０の非常放送音の出力を示し、図６（Ｄ）にスピーカ２８のガス放出警報音の出力を示す。
【００９４】
図６に示すように、時刻ｔ１で火災感知器２６が火災発報し、続いて、時刻ｔ２で火災感知器３４が火災発報したとすると、２回線発報のＡＮＤ条件によるガス放出の起動条件の成立により消火制御盤１６は所定時間のカウントダウンを経て噴射ヘッド２４から消火ガスが放出される。
【００９５】
このときスピーカ出力制御部１００は、図４（Ｄ）に示すように、スピーカ駆動部７０に指示してガス放出警報信号をスピーカ２８に出力させ、スピーカ２８からガス放出警報音を防護区画１８に出力させる。また、スピーカ出力制御部１００は、移報出力部６８に指示してガス放出警報音の出力中を示すガス放出警報中信号Ｅ０を放送制御盤３６へ出力させる。
【００９６】
放送制御盤３６の放送制御部８４は、火災受信盤３０から火災発生階を示す火災移報信号Ｅ１の受信を検出すると、非常放送生成部８６に指示して非常放送信号を出力させ、また放送回線選択部８８に指示して防護区画１８を含む火災発生階及びその直上階に対する放送回線を選択して非常放送信号を出力しようとするが、このとき消火制御盤１６からガス放出警報中信号Ｅ０の受信が検出されるため、放送回線選択部８８に指示し、火災発生階の放送回線の選択を解除し、防護区画１８を含む火災発生階に設置されたスピーカ４０に対する非常放送信号の出力を停止させる制御を行う。
【００９７】
このため火災が発生している防護区画１８では、スピーカ２８からはガス放出警報音が出力され、一方、スピーカ４０からは非常放送音は出力されず、非常放送音に干渉されることなく、ガス放出警報音を明瞭に聞き分けて防護区画１８からの退避行動を確実に行うことを可能とする。
【００９８】
続いて、スピーカ出力制御部１００は、時刻ｔ２のガス放出警報音の出力開始からガス放出時間に応じて予め定めた所定時間Ｔ１、例えばＴ１＝１分を経過した時刻ｔ３に達すると、スピーカ駆動部７０に指示してガス放出警報信号の出力を停止させる制御を行い、スピーカ２８からのガス放出警報音が停止される。
【００９９】
また、スピーカ出力制御部１００は時刻ｔ３で放送制御盤３６に出力していたガス放出警報中信号Ｅ０の出力を停止する。このため放送制御盤３６の放送制御部８４はガス放出警報中信号Ｅ０の停止を検出すると、放送回線選択部８８に指示し、防護区画１８を含む火災発生階の放送回線を選択させ、防護区画１８を含む火災発生階に設置されているスピーカ４０から非常放送音を出力させる。
【０１００】
続いて、スピーカ出力制御部１００は、時刻ｔ３のスピーカ出力の切替えから所定時間Ｔ１、例えばＴ１＝１分を経過した時刻ｔ４に達すると、スピーカ駆動部７０に指示してガス放出警報信号の出力させる制御を行い、スピーカ２８から再びガス放出警報音が停止される。
【０１０１】
また、スピーカ出力制御部１００は時刻ｔ３で放送制御盤３６にガス放出警報中信号Ｅ０を出力し、このため放送制御盤３６の放送制御部８４はガス放出警報中信号Ｅ０を検出すると、放送回線選択部８８に指示し、防護区画１８を含む火災発生階の放送回線の選択を解除させ、防護区画１８を含む火災発生階に設置されているスピーカ４０から非常放送音を出力させる。以下、同様の処理を繰り返す。
【０１０２】
このためスピーカ２８からのガス放出警報音とスピーカ４０からの非常放送音は交互に出力されることで、相互に干渉されることがなく、非常放送音を明瞭に聞き分けて対処できる。また、ガス放出警報音と非常放送音が周期的に繰り返されることで、ガス放出警報と非常放送の両方が行われていることを知り、安心感を持って避難行動をとることを可能とする。
【０１０３】
（ガス放出警報音と非常放送音の音量交互切替出力）
図７は音量切替えによりガス放出警報音と非常放送音を交互に出力させるスピーカ出力制御の他の実施形態を示したタイムチャートであり、図７（Ａ）に火災感知器２６の火災発報を示し、図７（Ｂ）に火災感知器３４の火災発報を示し、図７（Ｃ）にスピーカ４０の非常放送音の出力を示し、図７（Ｄ）にスピーカ２８のガス放出警報音の出力を示す。
【０１０４】
図７に示すように、時刻ｔ１で火災感知器２６が火災発報し、続いて、時刻ｔ２で火災感知器３４が火災発報したとすると、２回線発報のＡＮＤ条件によるガス放出の起動条件の成立により消火制御盤１６は所定時間のカウントダウンを経て噴射ヘッド２４から消火ガスが放出される。
【０１０５】
このときスピーカ出力制御部１００は、図７（Ｄ）に示すように、スピーカ駆動部７０に指示して消火ガスの放出の注意警報と避難警報を示す所定レベルのガス放出警報信号をスピーカ２８に出力させ、スピーカ２８から所定の音圧出力レベルＶ２の音量によりガス放出警報音を防護区画１８に出力させる。また、スピーカ出力制御部１００は、移報出力部６８に指示してガス放出警報音の出力中を示すガス放出警報中信号Ｅ０を放送制御盤３６へ出力させる。
【０１０６】
放送制御盤３６の放送制御部８４は、火災受信盤３０から火災発生階を示す火災移報信号Ｅ１の受信を検出すると、非常放送生成部８６に指示して非常放送信号を出力させ、また放送回線選択部８８に指示して防護区画１８を含む火災発生階及びその直上階に対する放送回線を選択して非常放送信号を出力しようとするが、このとき消火制御盤１６からガス放出警報中信号Ｅ０の受信が検出されるため、放送回線選択部８８に指示し、選択された火災発生階の放送回線に対応したパワーアンプのゲインを低下させる制御により非常放送信号のレベルを低下させ、図７（Ｃ）に示すように、スピーカ４０からは所定の音圧出力レベルＶ１に対応して低下された音量の非常放送音が出力される制御を行う。
【０１０７】
このため火災が発生している防護区画１８では、スピーカ２８からは所定の音圧出力レベルＶ２に対応した音量のガス放出警報音が出力され、一方、スピーカ４０からは所定の音圧レベルＶ２により低い音圧出力レベルＶ１に対応した低い音量の非常放送音が出力され、非常放送音に干渉されることなく、ガス放出警報音を明瞭に聞き分けて防護区画１８からの退避行動を確実に行うことを可能とする。
【０１０８】
続いて、スピーカ出力制御部１００は、時刻ｔ２のガス放出警報音の出力開始からガス放出時間に応じて予め定めた所定時間Ｔ１、例えばＴ１＝１分を経過した時刻ｔ３に達すると、スピーカ駆動部７０に指示してパワーアンプのゲインを低下させる制御によりガス放出警報信号のレベル低下させ、スピーカ２８からは所定の音圧出力レベルＶ２より低い音圧レベルＶ１に対応した低い音量のガス放出警報音の出力に切り替えられる。
【０１０９】
また、スピーカ出力制御部１００は時刻ｔ３で放送制御盤３６に出力していたガス放出警報中信号Ｅ０の出力を停止する。このため放送制御盤３６の放送制御部８４はガス放出警報中信号Ｅ０の停止を検出すると、放送回線選択部８８に指示し、防護区画１８を含む火災発生階の放送回線に対応したパワーアンプのゲインを元に戻し、防護区画１８を含む火災発生階に設置されているスピーカ４０から所定の音圧出力レベルＶ２に対応した十分に大きい音量の非常放送音を出力させる。
【０１１０】
続いて、スピーカ出力制御部１００は、時刻ｔ３のスピーカ出力の切替えから所定時間Ｔ１、例えばＴ１＝１分を経過した時刻ｔ４に達すると、スピーカ駆動部７０に指示してパワーアンプのゲインを元に戻してガス放出警報信号を出力させる制御を行い、スピーカ２８から再び所定の音圧レベルＶ２に対応した高い音量のガス放出警報音が出力される。
【０１１１】
また、スピーカ出力制御部１００は時刻ｔ４から放送制御盤３６にガス放出警報中信号Ｅ０を出力し、このため放送制御盤３６の放送制御部８４はガス放出警報中信号Ｅ０を検出すると、放送回線選択部８８に指示し、火災発生階の放送回線に対応したパワーアンプのゲインを低下させる制御により非常放送信号のレベル低下させる制御を行い、スピーカ４０からは所定の音圧出力レベルＶ２により低い音圧出力レベルＶ１に対応した低い音量の非常放送音の出力に切り替えられる。以下、同様の処理を繰り返す。
【０１１２】
このためスピーカ２８からのガス放出警報音とスピーカ４０からの非常放送音は、交互に音量が切り替えられることで、相互に干渉することがなく、ガス放出警報音と非常放送音を明瞭に聞き分けて対処できる。また、音量切替えによりガス放出警報音と非常放送音が周期的に繰り返されることで、ガス放出警報と非常放送の両方が行われていることを知り、安心感を持って避難行動をとることを可能とする。
【０１１３】
［本発明の変形例］
（スピーカ出力制御部の配置部位）
上記の実施形態は、消火制御盤１６にスピーカ出力制御部１００に設けた場合を例にとっているが、これに代えて放送制御盤３６にスピーカ出力制御部１００を設けるようにしても良い。放送制御盤３６にスピーカ出力制御部１００を設けた場合には、非常放送中信号を消火制御盤１６に送ってスピーカ駆動部７０によるガス放出警報信号の出力と停止又は音量切替を行うようにする。
【０１１４】
（火災報知設備の火災検出だけによるガス系消火設備の起動）
上記の実施形態は、火災報知設備１２の火災感知器３４とガス系消火設備の火災感知器２６がともに火災を検出することでガス系消火設備を起動する場合を例にとっているが、火災報知設備１２の火災感知器３４の火災検出だけでガス系消火設備が起動するようにしてもよい。この場合、ｔ１とｔ２間のずれはなくなり、火災感知器２６の火災検出時ｔ１からガス放出警報音が出力される。
【０１１５】
（火災報知設備への連動停止命令による警報出力停止）
上記の実施形態は、消火制御盤１６から放送制御盤３６に対してガス放出警報中信号Ｅ０を出力することで非常放送を停止させているが、非常放送停止の方法はこれに限らない。消火制御盤１６から火災受信盤３０に対し放送制御盤３６への連動停止信号を送信することで、防護区画１８における火災受信盤３０から放送制御盤３６への移報信号Ｅ１を送信させないようにして非常放送を行わせないようにしても良い。また、同様に放送制御盤３６から火災受信盤３０に対し消火制御盤１６への連動停止信号を送信することで、防護区画１８における火災受信盤３０から消火制御盤１６への移報信号Ｅ１を送信させないようにしてガス放出警報を行わせないようにしても良い。いずれにおいても、放送停止したい時間が過ぎたのち連動停止命令を解除することで放送を切り替える。
【０１１６】
（外部音声入力による音声切替）
上記の実施形態は、ガス系消火設備と非常放送設備のそれぞれのスピーカから、それぞれの音声を出力していたが、これに限らない。共用のスピーカを設け、ガス系消火設備と非常放送設備の音声出力を切り替えて出力するようにしても良い。また、ガス系消火設備のスピーカ出力側に非常放送設備の出力（信号／スピーカ）切替装置を設けても良く、非常警報設備のスピーカ出力側にガス系消火設備の出力（信号／スピーカ）切替装置を設けても良い。
【０１１７】
（音声の変更）
上記の実施形態は、音量を切り替えることで、ガス放出警報音と非常放送音の何れかを優先させて聞き取りやすくしているが、これに加えて音声の種類に変更を加えても良い。例えば、優先させたい音声については男性の警告音声とすることで危機感を喚起し、非優先の音声については区別して聞き取れるよう女性の音声としても良い。
【０１１８】
（火災報知設備）
上記の実施形態は、回線単位に火災を監視するＰ型の火災報知設備を例にとっているが、火災感知器のアドレス設定により発報場所を識別可能なＲ型の火災報知設備であっても良い。
【０１１９】
（その他）
また、本発明は上記の実施形態に限定されず、その目的と利点を損なうことのない適宜の変形を含み、更に上記の実施形態に示した数値による限定は受けない。
【符号の説明】
【０１２０】
１０：ガス系消火設備
１２：火災報知設備
１４：非常放送設備
１６：消火制御盤
１８，１８Ａ，１８Ｂ：防護区画
２０：操作箱
２２：ガス放出部
２４：噴射ヘッド
２６，３４：火災感知器
２８，４０：スピーカ
３０：火災受信盤
３２：感知器回線
３６：放送制御盤
３８：放送回線
６０：消火制御部
６６，９０：移報入力部
６８，８２：移報出力部
７０：スピーカ駆動部
７２：受信制御部
８４：放送制御部
８６：非常放送生成部
８８：放送回線選択部
１００：スピーカ出力制御部
【図１】
2019148845.tif 000003
【図２】
2019148845.tif 000004
【図３】
2019148845.tif 000005
【図４】
2019148845.tif 000006
【図５】
2019148845.tif 000007
【図６】
2019148845.tif 000008
【図７】
2019148845.tif 000009